(57)【要約】【課題】単一のコントローラと、単一のユーザインタフェースとでホットメルト接着剤の加熱と圧送を制御するホットメルト接着剤吐出ユニットを提供する。【解決手段】ホットメルト接着剤吐出ユニットは、固体または半固体ホットメルト接着材料を収納する接着剤供給部と、固体または半固体ホットメルト接着材料を溶融して液体ホットメルト接着材料にする、接着剤供給部に連結された接着剤供給部ヒータと、接着剤供給部に接続されるマニホールドと、マニホールドに接続され液体ホットメルト接着剤を接着剤供給部からマニホールドに圧送するポンプと、接着剤供給部ヒータおよびポンプに接続されるコントローラと、コントローラに接続されるユーザインタフェースとを備える。ユーザインタフェースはホットメルト接着剤吐出ユニットの加熱圧送機能に関する情報および加熱圧送機能に対する制御を提供し、コントローラは接着剤供給部ヒータおよびポンプを制御する。【選択図】図１
2014018799.tif 000002
【特許請求の範囲】
【請求項１】
ホットメルト接着剤吐出ユニットであって、
固体または半固体ホットメルト接着材料を受容する接着剤供給部と、
前記接着剤供給部と協働し、前記固体または半固体ホットメルト接着材料を溶融して液体ホットメルト接着材料にする接着剤供給部ヒータと、
前記接着剤供給部に接続されるマニホールドと、
前記マニホールドに接続され、前記液体ホットメルト接着剤を前記接着剤供給部から前記マニホールドに圧送するポンプと、
前記接着剤供給部ヒータおよび前記ポンプに接続されるコントローラと、
前記コントローラに接続され、前記ホットメルト接着剤吐出ユニットの加熱機能および圧送機能に関する情報および前記加熱機能および前記圧送機能に対する制御を提供するユーザインタフェースとを備え、
前記コントローラは前記接着剤供給部ヒータおよび前記ポンプを制御するホットメルト接着剤吐出ユニット。
【請求項２】
請求項１に記載のホットメルト接着剤吐出ユニットであって、
前記ホットメルト接着剤吐出ユニットは、更に、前記コントローラに接続され、前記液体ホットメルト接着剤の温度を検知する温度センサと、前記コントローラに接続され、前記液体ホットメルト接着剤の流量を測定する流量センサとを備え、
前記コントローラは、前記温度センサから温度情報を受け取るとともに前記流量センサから流量情報を受け取り、前記接着剤供給部ヒータに、該接着剤供給部ヒータの温度を調整するよう温度制御命令を送り、前記ポンプに、前記流量が所望の流量に近づくように前記ポンプの速度を調整するようポンプ制御命令を送る、ホットメルト接着剤吐出ユニット。
【請求項３】
請求項２に記載のホットメルト接着剤吐出ユニットであって、
該ホットメルト接着剤吐出ユニットは、更に、前記マニホールドと協働するマニホールドヒータを備え、
前記マニホールドヒータは、前記コントローラに接続され、前記コントローラによって制御されるホットメルト接着剤吐出ユニット。
【請求項４】
請求項３に記載のホットメルト接着剤吐出ユニットであって、
該ホットメルト接着剤吐出ユニットは、更に、前記マニホールドに接続される被加熱ホースと、その被加熱ホースに接続される吐出ガンとを備え、
前記被加熱ホースはホースヒータを有し、前記吐出ガンはガンヒータを有し、
前記コントローラは、前記ホースヒータおよび前記ガンヒータに温度制御指示を送るホットメルト接着剤吐出ユニット。
【請求項５】
請求項４に記載のホットメルト接着剤吐出ユニットであって、
前記コントローラは、前記マニホールドヒータおよび前記接着剤供給部ヒータに送られる前記温度制御命令とは独立して、前記ホースヒータおよび前記ガンヒータに温度制御命令を送るホットメルト接着剤吐出ユニット。
【請求項６】
請求項２に記載のホットメルト接着剤吐出ユニットであって、
前記コントローラは、閉ループ流量フィードバックシステムを提供するホットメルト接着剤吐出ユニット。
【請求項７】
ホットメルト接着剤吐出ユニットにおいてホットメルト接着剤の加熱機能および圧送機能を制御する方法であって、前記ホットメルト接着剤吐出ユニットは、前記ホットメルト接着剤を加熱するヒータと、前記ホットメルト接着剤を分配するポンプと、前記ヒータおよび前記ポンプに接続される前記ヒータおよび前記ポンプを制御するコントローラと、前記コントローラに接続されるユーザインタフェースとを備え、前記方法は、
前記コントローラに温度制御命令を送るように前記ユーザインタフェースを使用する工程と、
前記コントローラにポンプ制御命令を送るように前記ユーザインタフェースを使用する工程と、
前記コントローラから、前記ヒータに、該ヒータの温度を調整するよう温度制御命令を送る工程と、
前記コントローラから、前記ポンプに、該ポンプの速度を調整するようポンプ制御命令を送る工程とを有する方法。
【請求項８】
請求項７に記載の方法であって、更に、
前記コントローラにおいて温度情報を収集する工程と、
前記コントローラにおいて流量情報を収集する工程とを備える方法。
【請求項９】
請求項８に記載の方法であって、
前記流量情報が所望の流量に近づくように前記ポンプの前記速度を調整する工程を備える方法。
【請求項１０】
請求項８に記載の方法であって、
前記温度情報が所望の温度に近づくように前記ヒータの前記温度を調整する工程を備える記載の方法。
【請求項１１】
請求項９に記載の方法であって、更に、
前記温度情報が所望の温度に近づくように前記ヒータの前記温度を調整することを備える方法。
【発明の詳細な説明】
【技術分野】
【０００１】
本発明は、一般に、ホットメルト接着剤吐出機器に関し、より詳細には、ホットメルト接着剤吐出システムにおけるヒータおよびポンプに連結されて用いられるコントローラに関する。
【背景技術】
【０００２】
ホットメルト接着剤システムは、製造および包装において多くの用途を有する。例えば、熱可塑性ホットメルト接着剤は、カートン封止、ケース封止、トレイ形成、パレット固定、おむつ製造を含む不織布用途、および多くの他の用途に使用されている。通常、ホットメルト接着剤は、接着剤溶融室のタンクまたはホッパ等の接着剤供給部内に収容されているか、または接着剤供給部から供給される。ホットメルト接着剤は、加熱され、溶融され、カートン、ケースまたは他の物体若しくは基材にホットメルト接着剤を塗布する吐出ガンまたは他のアプリケータ等のディスペンサに圧送される。接着剤供給部に関して、タンク式溶融室並びにグリッド−リザーバ式溶融室を含む種々のタイプの溶融室が開発されている。タンク式溶融室では、ヒータが、タンクの一以上の表面およびタンク内部のホットメルト接着剤を加熱する。グリッド−リザーバ式溶融室では、タンクまたはホッパを通って移動するホットメルト接着剤が、グリッドヒータに面して加熱され、グリッドから同様に加熱されているリザーバに進む際に溶融される。マニホールドを用いて、液体ホットメルト接着剤を、ホースを通してディスペンサに送出するために複数の流れストリームにするように方向付ける。ヒータは通常、接着剤供給部（タンク、グリッド、リザーバ等）、マニホールド、ホースおよびディスペンサを含む、ホットメルト接着剤システムの幾つかの構成部材に熱的に接続される。ヒータは、ホットメルト接着剤を適切な接着剤粘度および接着剤温度に維持する。
【０００３】
加えて、ホットメルト接着剤システムにおいて使用するための種々のタイプのポンプが開発されている。例えばピストンポンプが、ピストンを用いて油圧プランジャを移動させ、この油圧プランジャにより液体ホットメルト接着剤がホットメルト接着剤システム内に押し流される。また、液体ホットメルト接着剤を正確に計量するギヤポンプが、逆転ギヤを用いて容積移送をもたらす。ポンプは、液体ホットメルト接着剤を、ホースから、物体に塗布するディスペンサまでを含む、ホットメルト接着剤システム内を移動させる。
【０００４】
ヒータに連結されたコントローラは、単純なシステムから、ホットメルト接着剤システム全体中の複数の温度ゾーンを監視および制御する、より複雑なプログラム可能なシステムまで、様々である。ヒータコントローラは通常、ユーザが加熱機能を制御または調整することを可能にする少なくとも１つのユーザインタフェースに連結されている。
【０００５】
ポンプに連結されたコントローラも同様に、単純なシステムから、ホットメルト接着剤送出流量に応じてポンプ速度を制御および調整する閉ループフィードバックシステム等のより複雑なシステムまで、様々である。一般的な閉ループフィードバックシステムは、ホットメルト接着剤システム内を流れるホットメルト接着剤の流量を測定し、流量情報をポンプコントローラに提供する。測定した流量情報に基づき、ポンプコントローラは、目標流量により厳密に一致する流量を達成するようにポンプ速度を調整する。ポンプコントローラは通常、ユーザが圧送機能を制御または調整することを可能にする少なくとも１つのユーザインタフェースに連結されている。
【０００６】
別個のユーザインタフェースが、ヒータコントローラおよびポンプコントローラに連結されており、ユーザが、各ユーザインタフェースと別個に対話する必要がある。ユーザインタフェース同士が互いから物理的に遠い場合、ユーザは、それらのユーザインタフェースと対話するためにそれらの間を移動する必要がある。また、各ユーザインタフェースは、ホットメルト接着剤システム内で或る量のスペースを占めており、またホットメルト接着剤システムの総コストを増大する。
【発明の概要】
【発明が解決しようとする課題】
【０００７】
したがって、上述した欠点のうち、少なくとも一つの欠点に対処するホットメルト接着剤吐出システムおよび方法が必要とされている。
【課題を解決するための手段】
【０００８】
本発明の実施の形態は、ホットメルト接着剤の加熱および圧送の双方を制御する単一のコントローラと、このコントローラに連結された単一のユーザインタフェースとを備えるホットメルト接着剤吐出ユニットに関する。
【０００９】
本発明の一実施の形態によれば、ホットメルト接着剤吐出ユニットは、固体または半固体ホットメルト接着材料を受容する接着剤供給部と、前記接着剤供給部と協働し、前記固体または半固体ホットメルト接着材料を溶融して液体ホットメルト接着材料にする接着剤供給部ヒータと、前記接着剤供給部に接続されるマニホールドと、前記マニホールドに接続され、前記液体ホットメルト接着剤を前記接着剤供給部から前記マニホールドに圧送するポンプと、前記接着剤供給部ヒータおよび前記ポンプに接続されるコントローラと、前記コントローラに接続され、前記ホットメルト接着剤吐出ユニットの加熱機能および圧送機能に関する情報および前記加熱機能および前記圧送機能に対する制御を提供するユーザインタフェースとを備え、前記コントローラは前記接着剤供給部ヒータおよび前記ポンプを制御する。
【００１０】
本発明の別の実施の形態によれば、ホットメルト接着剤吐出ユニットにおいてホットメルト接着剤の加熱機能および圧送機能を制御する方法であって、前記ホットメルト接着剤吐出ユニットが、前記ホットメルト接着剤を加熱するヒータと、前記ホットメルト接着剤を分配するポンプと、前記ヒータおよび前記ポンプに接続される前記ヒータおよび前記ポンプを制御するコントローラと、前記コントローラに接続されるユーザインタフェースとを備え、前記方法は、前記コントローラに温度制御命令を送るように前記ユーザインタフェースを使用する工程と、前記コントローラにポンプ制御命令を送るように前記ユーザインタフェースを使用する工程と、前記コントローラから、前記ヒータに、該ヒータの温度を調整するよう温度制御命令を送る工程と、前記コントローラから、前記ポンプに、該ポンプの速度を調整するようポンプ制御命令を送る工程とを有する。
【００１１】
本発明の様々な更なる特徴および利点は、添付の図面と併せて例示の実施形態の以下の詳細な説明を検討すれば、当業者に、より明らかとなるであろう。
【図面の簡単な説明】
【００１２】
【図１】ホットメルト接着剤システムの概略部分断面図である。
【図２】図１のホットメルト接着剤システムのコントローラに関連する機能部を示す概略図である。
【発明を実施するための形態】
【００１３】
本明細書に引用されるとともに本明細書の一部をなす添付の図面は、本発明の実施形態を示し、上記で与えた本発明の概説および下記で与える実施形態の詳細な説明とともに、本発明の原理を説明する役割を果たす。
【００１４】
図面を参照すると、本発明の機能部が、ホットメルト接着剤システム１０に関して示されている。ここで図示および記載されているホットメルト接着剤システム１０は単なる例示にすぎず、本発明は他のホットメルト接着剤システムに等しく適用可能であることが理解されるであろう。例えば、ホットメルト接着剤システム１０は、接着剤供給部としてタンク式溶融室を備えるが、本発明は、グリッド−リザーバ式溶融室を備えるホットメルト接着剤システムにも適用可能である。
【００１５】
図１に最もよく見られるように、ホットメルト接着剤システム１０は、固体または半固体ホットメルト接着材料２４ａを収納するとともに溶融する接着剤供給部２２（タンク）と、接着剤供給部２２に接続されるマニホールド２６と、コントローラ２８と、ユーザインタフェース２９とを備える吐出ユニット２０を含む。溶融時、固体または半固体ホットメルト接着材料２４ａは、液体ホットメルト接着材料２４に変化する。接着剤供給部２２は、側壁３０と、取外し可能なカバー３１と、接着剤供給部２２内のホットメルト接着材料２４ａおよび液体ホットメルト接着材料２４を溶融および加熱する一以上の接着剤供給部ヒータ３４を含むベース３２とを備える。ベース３２は、接着剤供給部２２と一体となっており、一以上のヒータ３４を収容している。ベース３２付近の出口３６が、マニホールド２６の入口４０につながる通路３８につながっている。
【００１６】
図示のように、マニホールド２６は、接着剤供給部２２およびマニホールド２６を分離するスペーサ４１によって接着剤供給部２２の側壁３０に取り付けられている。図示の実施形態では、スペーサ４１は、熱伝導を可能にするアルミニウムから作製される。液体ホットメルト接着材料２４を接着剤供給部２２から別個の流れに分流するマニホールド２６に圧送する縦向きのピストンポンプ５８が、マニホールド２６に接続されている。マニホールド２６は、複数の出口ポート４４を含み、これらの出口ポート４４には、一以上の接着剤ガン４８、５０に液体ホットメルト接着材料２４を供給するために、ガン４８、５０に取り付けられる被加熱ホース４６が嵌まっている。各被加熱ホース４６はホースヒータ４７に熱的に接続される。
【００１７】
ガン４８、５０は、物体（図示せず）にホットメルト接着剤２４を吐出／塗布する一以上の接着剤吐出モジュール５４を備えることができる。接着剤吐出モジュール５４は、ガンヒータ５３を有するガン本体５１に取り付けられており、フレーム５２に支持されている。図１に示されているホットメルト接着剤システム１０は、吐出ユニット２０の各側に１つずつ配置されている、２つのガン４８、５０を備えるが、異なる数のガン、吐出モジュールおよび他の構成を用いることもできる。
【００１８】
マニホールド２６は、接着剤供給部ヒータ３４とは別個のマニホールドヒータ５６を備え、このマニホールドヒータ５６は、コントローラ２８によって独立して制御することができる。当然のことながら、接着剤供給部２２およびマニホールド２６を加熱するのに単一のヒータを用いることもできることが理解されるであろう。
【００１９】
接着剤供給部ヒータ３４、ホースヒータ４７、ガンヒータ５３およびマニホールドヒータ５６のそれぞれは、温度センサ３４ａ、４７ａ、５３ａおよび５６ａにそれぞれ連結されており、これらの温度センサ３４ａ、４７ａ、５３ａおよび５６ａは、図１には示されていないが、図２にコントローラ２８と通信する状態で示されている。温度センサ３４ａ、４７ａ、５３ａおよび５６ａは、液体ホットメルト接着材料２４の温度を検知するためのものであり、熱抵抗素子、または温度を測定する任意の他の適した素子を含むことができる。
【００２０】
ホットメルト接着剤システム１０はまた、ホットメルト接着剤システム１０の種々の構成部材内を流れる液体ホットメルト接着材料２４の移動量すなわち流量を測定する一以上の流量センサを備える。図１に示されているように、流量センサ４９がマニホールド２６に組み込まれているが、流量センサは、被加熱ホース４６、ガン４８、５０に組み込むことも、液体ホットメルト接着材料２４が流れる概ねマニホールド２６と物体への塗布地点との間の別の場所に組み込むこともできることが理解されるであろう。
【００２１】
ユーザインタフェース２９が、ユーザにホットメルト接着剤システム１０の態様についての情報およびその態様に対する制御を提供する。ユーザインタフェース２９は、コントローラ２８に接続される。例えば、ユーザインタフェース２９は、所望のホットメルト接着剤温度、ヒータ３４、４７、５３および５６の温度、ホットメルト接着剤の流量、ポンプ速度等に関する情報を提示する。ユーザインタフェース２９は、また、所望のホットメルト接着剤温度またはホットメルト接着剤流量を調整する等、ホットメルト接着剤システムの任意のパラメータを調整する制御部も備えることができる。特に、ユーザインタフェース２９は、ユーザがホットメルト接着剤システム１０の加熱機能および圧送機能を制御することを可能にする。ユーザインタフェース２９を使用して、温度制御命令およびポンプ制御命令をコントローラ２８に送る。
【００２２】
コントローラ２８は、ホットメルト接着剤システム１０のための電源および電子制御部を備える。特に、コントローラ２８は、吐出ユニット２０の加熱機能を制御する構成部材と圧送機能を制御する構成部材との双方を備える。
【００２３】
加熱機能に関して、コントローラ２８は、接着剤供給部ヒータ３４、ホースヒータ４７、ガンヒータ５３およびマニホールドヒータ５６を含むヒータに電気的に接続される。コントローラ２８は、温度センサ３４ａ、４７ａ、５３ａおよび５６ａによって提供される温度情報を用いて、接着剤供給部ヒータ３４、ホースヒータ４７、ガンヒータ５３およびマニホールドヒータ５６を独立して監視および調整して、接着剤供給部２２内に収納されている固体または半固体ホットメルト接着剤２４ａを溶融し、また、（溶融した）液体ホットメルト接着材料２４の温度を維持して、ガン４８、５０に供給されるとともに接着剤吐出モジュール５４によって吐出される液体ホットメルト接着材料２４の適切な粘性を確保する。概して、図２を参照すると、コントローラ２８は、温度センサ３４ａ、４７ａ、５３ａおよび５６ａから温度情報を受け取り、接着剤供給部ヒータ３４、ホースヒータ４７、ガンヒータ５３およびマニホールドヒータ５６を含む、ホットメルト接着剤システム１０内のヒータのうちのいずれかまたは全てを独立して制御する等のヒータ温度制御命令を送る。特に、ホットメルト接着剤システム１０内のヒータのうちのいずれかまたは全ての温度は、連結された温度センサからコントローラ２８が受け取った温度情報が所望の温度に近づくように調整することができる。したがって、コントローラ２８は、接着剤供給部ヒータ３４、ホースヒータ４７、ガンヒータ５３およびマニホールドヒータ５６の温度を増減すること等によって調整する。
【００２４】
例えば、起動時に、コントローラ２８は、接着剤供給部ヒータ３４、ホースヒータ４７およびマニホールドヒータ５６のそれぞれに、これらの構成部材が各自の温度を例えば概ね華氏３５０度から華氏４００度等の所定の設定点温度に上げるよう個別のヒータ温度制御命令を送る。これらの構成部材の温度が各自のそれぞれの設定点温度に近くなると、このことが温度センサ３４ａ、４７ａおよび５６ａを通じてコントローラ２８に通信されることで、コントローラ２８は、ガンヒータ５３を作動させ、また、接着剤供給部ヒータ３４、ホースヒータ４７、ガンヒータ５３およびマニホールドヒータ５６をそれぞれ、概ね各自の設定点温度を維持するようにオンおよびオフにサイクル動作させ始める。このようにして、コントローラ２８は、動作温度へのスムーズな上昇をもたらし、この動作温度がその後、それぞれのヒータをそれぞれの設定点温度を維持するようにオンおよびオフにサイクル動作させるコントローラ２８によって吐出ユニット２０の動作全体中、維持される。
【００２５】
新たなホットメルト接着材料２４ａが接着剤供給部２２に加えられると、コントローラ２８は、温度の低下を（温度センサ３４ａによって提供される温度情報等により）検知し、接着剤供給部ヒータ３４をオンにサイクル動作させて、温度を上げるとともに、新たに加えられたホットメルト接着剤２４ａを溶融し、その一方、マニホールド２６、被加熱ホース４６および接着剤ガン４８、５０が、コントローラ２８によって実質的に一定の温度に維持される。上述したように、各構成部材における液体ホットメルト接着材料２４の温度の個別制御により、液体ホットメルト接着材料２４を過熱して焦がす可能性があるかまたは別様に劣化させる可能性がある過剰な温度に液体ホットメルト接着材料２４を晒すことなく、液体ホットメルト接着材料２４が適切な塗布温度および粘度で接着剤吐出モジュール５４に供給されることが確実になる。
【００２６】
圧送機能に関して、コントローラ２８は、ポンプ５８に電気的に接続されており、ポンプ５８を、液体ホットメルト接着材料２４の流量が所望の流量に厳密に一致するように調整するために、閉ループ流量フィードバックシステムの機能を提供することが可能である。ホットメルト接着剤システムが２つ以上のポンプを含む場合、コントローラ２８を各ポンプに電気的に接続するとともに各ポンプを制御することもできることが理解されるであろう。コントローラ２８は、流量センサ４９を含む、一以上の流量センサにも接続される。コントローラ２８は、液体ホットメルト接着材料２４の流量を監視するとともにポンプ５８を調整して、マニホールド２６を通り、被加熱ホース４６を通ってガン４８、５０に供給されるとともに接着剤吐出モジュール５４によって吐出される液体ホットメルト接着材料２４の適切な流れを確保する。概して、図２を参照すると、コントローラ２８は、流量センサ４９からの流量情報を受け取り、ポンプ５８を制御するようポンプ制御命令を送る。こうして、コントローラ２８は、ポンプ５８の速度または出力を、増減すること等によって調整し、それによって、液体ホットメルト接着材料２４の流量の調整がもたらされる。特に、ホットメルト接着剤システム１０における液体ホットメルト接着材料２４の流量を、ユーザが設定することができるような所望の流量に厳密に一致する流量を達成するように調整することができる。また、流量を測定するとともに、測定した流量を考慮してポンプを調整することによって、コントローラ２８は、閉ループ流量フィードバックシステムを提供する。
【００２７】
例えば、ホットメルト接着剤システム１０を通る液体ホットメルト接着材料２４の流量は、特に分かっているポンプ速度に関連付けることができる。動作時、コントローラ２８は、ポンプ５８に、ポンプ５８が所望の流量に関連付けられたポンプ速度で動作するようポンプ制御命令を送る。加えて、コントローラ２８は、流量センサ４９によって提供される流量情報によりホットメルト接着剤の流量を検知し、ポンプ５８に、そのポンプ速度を、液体ホットメルト接着材料２４の測定した流量が所望の流量により厳密に一致するように調整するようポンプ制御命令を送る。
【００２８】
吐出ユニット２０の加熱機能を制御する機能部と圧送機能を制御する機能部との双方を併合することによって、単一のコントローラ２８が使用される。したがって、ヒータ用およびポンプ用の別個のコントローラが不要である。また、単一のユーザインタフェースがホットメルト接着剤システム１０で使用できるように関連付けられ、熱制御用およびポンプ制御用の別個のユーザインタフェースが不要である。制御機能部とユーザインタフェースとのこの統合は、ホットメルト接着剤システムにおいて省コストおよび省スペースを提供する。また、加熱機能の制御部と圧送機能の制御部との双方を組み合わせることによって、ユーザは、ホットメルト接着剤システム１０をより容易に制御することができる。例えば、ユーザは、単一のユーザインタフェースと単一の場所で対話することができ、別個のユーザインタフェースの間を移動する必要も別個のユーザインタフェースと対話する必要もない。
【００２９】
本発明をその特定の実施形態の記載によって説明し、また、それらの実施形態をかなり詳細に記載してきたが、添付の特許請求の範囲の範囲をそのような詳細に制限またはいかようにも限定することを意図するものではない。本明細書中に説明されている種々の特徴は、単独でまたは任意の組合せで用いることができる。更なる利点および変更は、当業者には容易に明らかであろう。したがって、本発明は、より広範なその態様において、特定の詳細、代表的な装置および方法、並びに図示および記載されている説明的な例に限定されない。したがって、包括的な本発明の概念の範囲または精神から逸脱することなくそのような詳細から逸脱することができる。
【図１】
2014018799.tif 000003
【図２】
2014018799.tif 000004
【外国語明細書】
2014018799.tif 000005
2014018799.tif 000006
2014018799.tif 000007
2014018799.tif 000008
2014018799.tif 000009
2014018799.tif 000010
2014018799.tif 000011
2014018799.tif 000012
2014018799.tif 000013
2014018799.tif 000014
2014018799.tif 000015
2014018799.tif 000016
2014018799.tif 000017
2014018799.tif 000018
2014018799.tif 000019